(57)【要約】【課題】構成部材の施工誤差や加工誤差によってボルト挿通孔に位置ずれが生じても、これを効果的に吸収して、ナット部材とボルト部材とをスムーズに螺合してゆくことのできるボルト部材又はナット部材の取付け構造を提供する。【解決手段】建築物の構成部材（住宅ユニット）１０に予め取り付けられて使用されるナット部材１１の取付け構造であって、例えば底板１８と、底板１８から四方に立設し、内側にナット部材１１が遊嵌配置される側板１９，２０とを備える箱形形状を有する遊嵌取付け部材１５を介して、ナット部材１１が設置されることにより、ナット部材１１は、雌ネジ孔１６の中心軸が締着すべき住宅ユニット１０に形成されたボルト挿通孔１７の中心軸とずれるように遊動可能で、且つ回転が阻止された状態で、雌ネジ孔１７をボルト挿通孔１７と重ね合わせるようにしつつ住宅ユニット１０に取り付けられている。【選択図】        図２
2004257119.tif 000002
【特許請求の範囲】
【請求項１】
建築物の構成部材に予め取り付けられて使用されるボルト部材又はナット部材の取付け構造であって、
前記ボルト部材又はナット部材は、遊嵌取付け部材を介して設置されることにより、その頭部又は雌ネジ孔の中心軸が締着すべき構成部材に形成されたボルト挿通孔の中心軸とずれるように遊動可能で、且つ回転が阻止された状態で、前記頭部又は雌ネジ孔を前記ボルト挿通孔と重ね合わせるようにしつつ前記構成部材に取り付けられていることを特徴とするボルト部材又はナット部材の取付け構造。
【請求項２】
前記遊嵌取付け部材は、底板と、該底板から四方に立設し、内側に前記ボルト部材の頭部又は前記ナット部材が遊嵌配置される側板とを備える箱形形状を有しており、少なくとも一対の互いに対向して配置された前記側板の間の間隔が、前記ボルト部材の頭部又は前記ナット部材の対角線の長さよりも短くなっている請求項１記載のボルト部材又はナット部材の取付け構造。
【請求項３】
前記遊嵌取付け部材は、長手方向中央部分が凹状の窪み部となった帯板状のプレート部材であって、前記窪み部には遊嵌開口が形成されていると共に、前記窪み部の両側の側辺部が折れ曲がってナット部材の対角線の長さよりも短い間隔で対向する一対の回転防止片が設けられており、
前記ナット部材の雌ネジ孔の開口周縁部から突出配置した円筒状リブを前記遊嵌開口に挿入し、前記ナット部材との間に前記窪み部を挟んで前記円筒状リブに前記遊嵌開口よりも径の大きな落下防止片を取り付けることにより、前記ナット部材を遊嵌状態で保持する請求項１記載のボルト部材又はナット部材の取付け構造。
【請求項４】
前記遊嵌取付け部材は、長手方向中央部分に遊嵌開口が形成されると共に、当該長手方向中央部分の両側の側辺部が折れ曲がってボルト部材の頭部の対角線の長さよりも短い間隔で対向する一対の回転防止片が設けられる帯板状のプレート部材と、該プレート部材の長手方向中央部分に係止される頭部保持部材とからなり、
前記ボルト部材の雄ネジ部を前記遊嵌開口に挿入し、前記ボルト部材の頭部を前記頭部保持部材の内側に配置して前記頭部保持部材を前記プレート部材に係止することにより、前記ボルト部材を遊嵌状態で保持する請求項１記載のボルト部材又はナット部材の取付け構造。
【発明の詳細な説明】
【０００１】
【発明の属する技術分野】
本発明は、ボルト部材又はナット部材の取付け構造に関し、特に建築物の構成部材に予め取り付けられて使用されるボルト部材又はナット部材の取付け構造に関する。
【０００２】
【従来の技術】
近年、住宅等の建築物の施工の迅速化や高精度化を図るべく、予め工場等において加工形成された建築物の構成部材を、建築施工現場に搬入して組立てることによって建築物を構築する工法が多く採用されており、またこのような工法の代表的なものとして、複数の住宅ユニットを建築施工現場で組み立てて構築するユニット住宅が種々開発されている。
【０００３】
このような建築物の施工にあたって、例えば構成部材を吊り上げて所定の位置に据え付けたり、据え付けた構成部材を連結一体化する際には、ボルト部材とナット部材とからなるいわゆるボルトナット形式による接合部材を用いる場合が多く、またボルト部材とナット部材のいずれか一方を予め構成部材に取り付けておくことによって、施工の効率化を図るようにした工法も知られている（例えば、特許文献１、特許文献２、特許文献３参照）。
【０００４】
【特許文献１】
特開平５−１４１００３号公報
【特許文献２】
特開平９−７８８４０号公報
【特許文献３】
特開２００２−３８６０１号公報
【０００５】
【発明が解決しようとする課題】
上記従来の建築物の構成部材にナット部材やボルト部材を予め取り付けて施工を行う工法によれば、ナット部材やボルト部材は、構成部材に固定された状態で取り付けられているため、当該ナット部材やボルト部材を介して締着される建築物の構成部材に施工誤差や加工誤差等が生じていると、ボルト部材が挿通されるボルト挿通孔等に位置ずれが生じる場合があり、このような位置ずれの影響を受けて、ナット部材の雌ネジ孔にボルト部材の雄ネジ部を螺合し難くなったり、ボルト部材が傾斜して取り付けられるといった不具合を生じるおそれがある。
【０００６】
また、ナット部材の雌ネジ孔にボルト部材の雄ネジ部を螺合してゆく作業は、他の構成部材によって遮られれた見えない施工箇所への作業となる場合もあるため、構成部材の施工誤差や加工誤差等の影響を受けやすく、これらの誤差を吸収できる手段がないとナット部材とボルト部材とのスムーズな螺合作業を行うことが困難になる。
【０００７】
本発明は、このような従来の課題に着目してなされたものであり、構成部材の施工誤差や加工誤差等によってボルト挿通孔等に位置ずれが生じていても、これを効果的に吸収して、ナット部材とボルト部材とをスムーズに螺合してゆくことを可能にする、建築物の構成部材に予め取り付けられて使用されるボルト部材又はナット部材の取付け構造を提供することを目的とする。
【０００８】
【課題を解決するための手段】
本発明は、建築物の構成部材に予め取り付けられて使用されるボルト部材又はナット部材の取付け構造であって、前記ボルト部材又はナット部材は、遊嵌取付け部材を介して設置されることにより、その頭部又は雌ネジ孔の中心軸が締着すべき構成部材に形成されたボルト挿通孔の中心軸とずれるように遊動可能で、且つ回転が阻止された状態で、前記頭部又は雌ネジ孔を前記ボルト挿通孔と重ね合わせるようにしつつ前記構成部材に取り付けられていることを特徴とするボルト部材又はナット部材の取付け構造を提供することにより、上記目的を達成したものである（請求項１記載の発明）。
【０００９】
そして、本発明のボルト部材又はナット部材の取付け構造によれば、前記遊嵌取付け部材は、底板と、該底板から四方に立設し、内側に前記ボルト部材の頭部又は前記ナット部材が遊嵌配置される側板とを備える箱形形状を有しており、少なくとも一対の互いに対向して配置された前記側板の間の間隔が、前記ボルト部材の頭部又は前記ナット部材の対角線の長さよりも短くなっていることが好ましい（請求項２記載の発明）。
【００１０】
また、本発明のボルト部材又はナット部材の取付け構造によれば、前記遊嵌取付け部材は、長手方向中央部分が凹状の窪み部となった帯板状のプレート部材であって、前記窪み部には遊嵌開口が形成されていると共に、前記窪み部の両側の側辺部が折れ曲がってナット部材の対角線の長さよりも短い間隔で対向する一対の回転防止片が設けられており、前記ナット部材の雌ネジ孔の開口周縁部から突出配置した円筒状リブを前記遊嵌開口に挿入し、前記ナット部材との間に前記窪み部を挟んで前記円筒状リブに前記遊嵌開口よりも径の大きな落下防止片を取り付けることにより、前記ナット部材を遊嵌状態で保持するようにすることもできる（請求項３記載の発明）。
【００１１】
さらに、本発明のボルト部材又はナット部材の取付け構造によれば、前記遊嵌取付け部材は、長手方向中央部分に遊嵌開口が形成されると共に、当該長手方向中央部分の両側の側辺部が折れ曲がってボルト部材の頭部の対角線の長さよりも短い間隔で対向する一対の回転防止片が設けられる帯板状のプレート部材と、該プレート部材の長手方向中央部分に係止される頭部保持部材とからなり、前記ボルト部材の雄ネジ部を前記遊嵌開口に挿入し、前記ボルト部材の頭部を前記頭部保持部材の内側に配置して前記頭部保持部材を前記プレート部材に係止することにより、前記ボルト部材を遊嵌状態で保持するようにすることもできる（請求項４記載の発明）。
【００１２】
【発明の実施の形態】
以下本発明の好ましい実施形態を添付図面を参照しつつ詳細に説明する。本発明の第１実施形態によれば、図１に示すように、例えば枠組壁工法による木造のユニット住宅を構成する、予め工場等において形成された住宅ユニット１０を建築物の構成部材として、連接配置される当該住宅ユニット１０を上下に連結一体化する際に、本発明のボルト部材又はナット部材の取付け構造により下方の住宅ユニット１０に取り付けられたナット部材１１を使用するものである。
【００１３】
そして、本第１実施形態の取付け構造は、ナット部材１１を住宅ユニット１０の上枠部材１２の下面側に予め取り付けておき、上下の住宅ユニット１０を連結一体化する際に、ボルト部材１３の下端雄ネジ部１４をナット部材１１に螺合させて効率良く締着してゆくことができるようにするものであって、本第１実施形態によれば、ナット部材１１は、図２〜図４に示すように、遊嵌取付け部材１５を介して取り付けられることにより、その雌ネジ孔１６の中心軸が締着すべき住宅ユニット１０の上枠部材１２に形成されたボルト挿通孔１７の中心軸とずれるように遊動可能で、且つ回転が阻止された状態で、雌ネジ孔１６をボルト挿通孔１７と重ね合わせるようにしつつ住宅ユニット１０の上枠部材１２に取り付けられている。
【００１４】
また、本第１実施形態によれば、遊嵌取付け部材１５は、底板１８と、この底板１８から四方に立設し、内側にナット部材１１が遊嵌配置される側板１９，２０とを備える箱形形状を有しており、互いに対向する二対の側板１９，２０のうちの、少なくとも一方の一対の互いに対向する側板１９は、当該側板１９の間の間隔が、正６角形状のナット部材１１の対角線の長さよりも短くなっている。
【００１５】
なお、本第１実施形態によれば、遊嵌取付け部材１５を介してナット部材１１を予め住宅ユニット１０に設置する取り付け構造は、住宅ユニット１０を吊上げたり連結する際に使用するユニット吊上げ連結金具２１の一部として、ナット部材１１を上枠部材１２の下面側に設置するようになっている。すなわち、ユニット吊上げ連結金具２１は、住宅ユニット１０を構成する上枠部材１２の下面に沿って設置され、ボルト挿通孔１７を介して上枠部材１２を貫通して設けられるボルト部材１３の下端雄ネジ部１４が遊挿されるボルト孔２２を有するベースプレート部材２３と、雌ネジ孔１６をボルト孔２２に重ね合わせるようにしてベースプレート部材２３の下面側に配設されるナット部材１１とからなる。
【００１６】
また、ナット部材１１は、遊嵌取付け部材１５を介して配設されることにより、雌ネジ孔１６の中心軸がボルト孔２２の中心軸とずれるように遊動可能で、且つ回転が阻止された状態で、ベースプレート部材２３の下面側に設けられており、これによって、ベースプレート部材２３が、ボルト孔２２をボルト挿通孔１７に合致させて上枠部材１２の下面に沿って固定された際に、雌ネジ孔１６の中心軸が締着すべき住宅ユニット１０の上枠部材１２に形成されたボルト挿通孔１７の中心軸とずれるように遊動可能な状態で、且つ回転が阻止された状態で、ナット部材１１が雌ネジ孔１６をボルト挿通孔１７と重ね合わせるようにしつつ取り付けられることになる。
【００１７】
ベースプレート部材２３は、例えば厚さ１〜１０ｍｍ程度の金属プレートを曲折加工することによって形成されるものであって、矩形形状のベースプレート２４と、このベースプレート２４の一短辺の端縁部から垂直に連続して折れ曲がり、ベースプレート２４と一体となってＬ字形状の縦断面を形成する、ベースプレート２４と連続する上端接合部分の幅がベースプレート２４の幅と同様となった略矩形形状の垂直プレート２５とからなっている。
【００１８】
また、本実施形態によれば、ベースプレート部材２３のベースプレート２４の内側面（下面）には、コの字断面補強部材２６が、中央プレート２７をベースプレート２４に二重に重ねるように接合することによって取り付けられている。さらに、ベースプレート部材２３のベースプレート２４には、ボルト部材１３の雄ネジ部１４が遊挿されるボルト孔２２が、当該ベースプレート２４と中央プレート２７とを連続貫通させて設けられており、またコの字断面補強部材２６の一対の垂直補強リブ２８には、遊嵌取付け部材１５を係止するための矩形形状の係止開口２９が各々開口形成されている。なお、ベースプレート部材２３に形成したビス孔３０に固定ビス等を打ち込むことにより、垂直プレート２５を縦枠部材３１（図１参照）の上端部側面に沿って添設しつつ、ユニット吊上げ連結金具２１が上枠部材１６の下面に沿って強固に取り付けられることになる。
【００１９】
本第１実施形態の取付け構造によって上枠部材１２の下面側に設置されるナット部材１１は、いわゆる６角ナットであって、遊嵌取付け部材１５を介してベースプレート部材２３のベースプレート２４の下面側に、その雌ネジ孔１６をボルト孔２２に重ね合わせるようにして配設される。
【００２０】
ナット部材１１をベースプレート２４の下面側に配設する遊嵌取付け部材１５は、上述のように、底板１８と、底板１８からナット部材１１を囲むように四方に立設する側板１９，２０とを備える箱形形状を有しており、また底板１８には、ボルト部材１３の雄ネジ部１４を遊挿可能な底板ボルト孔３６が設けられている。そして、ナット部材１１が四方の側板１９，２０の内側に遊嵌配置されることにより、ナット部材１１は、これらの内側において前後左右に遊動可能な状態となり、これによって、ナット部材１１の中心軸がベースプレート２４のボルト孔２２の中心軸とずれるように、ナット部材１１を相対移動させることが可能になる。また一対の対向する側板１９の間の間隔が６角形状のナット部材１１の対角線の長さよりも短くなっていることにより、遊嵌取付け部材１５の内部におけるナット部材１１の回転が阻止されて、ボルト部材１３の雄ネジ部１４を螺合する際に、ナット部材１１の共廻りが生じるのを効果的に回避できるようになっている。
【００２１】
また、本実施形態によれば、遊嵌取付け部材１５の他方の対向する側板２０の上端から連続して、外側に折り返すように延設する板バネ片３２が各々設けられており、また各板バネ片３２の先端には、コの字断面補強部材２６の垂直補強リブ２８に開口形成された係止開口２９に係止される係止片３３が連続して設けられている。
【００２２】
四方の側板１９，２０の内側にナット部材１１を配置した状態で、遊嵌取付け部材１５を、板バネ片３２の付勢力に抗してコの字断面補強部材２６の一対の垂直補強リブ２８の間に、ベースプレート２４側に向けて押し込むと共に、押し込んだ遊嵌取付け部材１５の係止片３３を係止開口２９に各々係止することによって、ナット部材１１は、雌ネジ孔１６をボルト孔２２に重ね合わせた状態で、ベースプレート部材２３の下面側に容易に取付けられることになる。
【００２３】
なお、例えば図５（ａ），（ｂ）に示すように、遊嵌取付け部材１５の他方の対向する側板２０の上端から折り返して設けた板バネ片３２の先端部分には、係止片３３に替えてＵ字形状に切り欠かれた係止切欠き３２ａを形成しておき、この係止切欠き３２ａを、係止開口２９に替えてコの字断面補強部材２６の垂直補強リブ２８の内側面から突出させて設けた係止突起２８ａに係止することによって、ナット部材１１をベースプレート部材２３の下面側に取付けることもできる。また、ナット部材１１と共に、これと一体化した座金部材やワッシャ部材、あるいはこれと別体とした座金部材やワッシャ部材を四方の側板１９，２０の内側に配置することにより、これらの座金部材やワッシャ部材もまたベースプレート部材２３の下面側に容易に配設することができる。
【００２４】
そして、本第１実施形態の取付け構造によって住宅ユニット１０に予め取り付けられたナット部材１１を用いて、上下に連接配置される住宅ユニット１０を連結一体化する作業は、例えば両ネジボルトをボルト部材１３として用いて容易に行うことができる。すなわち、まず下方の住宅ユニット１０の上枠部材１６に形成された挿通孔１７にボルト部材１３を上方から挿入して、これの下端雄ネジ部１４を、吊上げ連結金具２１のベースプレート部材２３の下面側に遊嵌取付け部材１５を介して配設されたナット部材１１に螺合することによって、当該ボルト部材１３を、上方部分を上枠部材１２から上方に突出させた状態で取り付ける。なお、ボルト部材１３には、その中央の１／３程度の領域を挟んだ上下に、放射方向に突出するリブ１３ａが各々設けられていると共に、当該中央の領域には、脱落を防止された状態で上下に移動できるように座金１３ｂが遊嵌装着されている。
【００２５】
しかる後に、上方に設置される住宅ユニット１０の下枠部材３４を、突出したボルト部材１３の上方部分を挿通孔３７に挿通しつつ、下方に設置した住宅ユニット１０の上枠部材１２の上面に重ねて配置する。ここで、座金１３ｂが上方のリブ１３ａの下方に配置されていることにより、ボルト部材１３の上方部分が挿通孔３７にうまく挿通されず、下枠部材３４の下面がボルト部材１３の上端に当接して当該ボルト部材１３が押し下げられようとしても、リブ１３ａが座金１３ｂの開口縁部に係止されて、座金１３ｂを介してこのような押下げ力が上枠部材１２によって支持されることにより、当該ボルト部材１３の下方への脱落が、効果的に回避されることになる。
【００２６】
ボルト部材１３の上方部分を挿通孔３７に挿通しつつ、上方の住宅ユニット１０の下枠部材３４を下方の住宅ユニット１０の上枠部材１２に重ねて配置したら、上方の住宅ユニット１０に固定された連結金具３８の締着孔３８ａから上方に突出することになるボルト部材１３の上方雄ネジ部１３ｃに、ナット部材３９を締着固定することによって、上下の住宅ユニット１０が容易に連結一体化されることになる。
【００２７】
そして、本実施形態の取付け構造によれば、住宅ユニット１０の施工誤差や加工誤差等によってボルト挿通孔１７，３７等に位置ずれが生じていても、これを効果的に吸収して、ナット部材１１とボルト部材１３とをスムーズに螺合してゆくことができる。すなわち、本実施形態によれば、雌ネジ孔１６をボルト挿通孔１７に重ね合わせるようにして上枠部材１２の下面側に配設されるナット部材１１は、遊嵌取付け部材１５を介して取り付けられることにより、雌ネジ孔１６の中心軸がボルト挿通孔１７の中心軸とずれるように遊動可能で、且つ回転が阻止された状態で設けられているので、このように取り付けられたナット部材１１の遊動によって、上枠部材１２や下枠部材３４の施工誤差等を効果的に吸収することが可能になると共に、ナット部材１１の共廻りを効果的に回避することが可能になり、これらによって住宅ユニット１０の連結作業をスムーズに行うことが可能になる。
【００２８】
図６（ａ）〜（ｃ）及び図７は、本発明の第２実施形態の取付け構造を示すものである。本第２実施形態の取付け構造によれば、遊嵌取付け部材４０は、長手方向中央部分が凹状の窪み部４１となった帯板状のプレート部材４２からなり、窪み部４１には遊嵌開口４３が形成されていると共に、窪み部４１の両側の側辺部が折れ曲がってナット部材４５の対角線の長さよりも短い間隔で対向する一対の回転防止片４４が設けられている。そして、ナット部材４５の雌ネジ孔４６の開口周縁部から突出配置した円筒状リブ４７を遊嵌開口４３に挿入し、ナット部材４５との間に窪み部４１を挟んで円筒状リブ４７に遊嵌開口４３よりも径の大きな落下防止片４８を取り付けることにより、ナット部材４５を遊嵌状態で保持するようにしたものである。
【００２９】
本第２実施形態によれば、ナット部材４５が装着された遊嵌取付け部材４０は、ボルト挿通孔４９が形成された建築物の構成部材の締着面に沿って取り付けて用いられ、上記第１実施形態の取付け構造と同様の作用効果を奏することになる。
【００３０】
図８（ａ）〜（ｃ）及び図９は、本発明の第３実施形態の取付け構造を示すものである。本第３実施形態の取付け構造によれば、遊嵌取付け部材５０は、長手方向中央部分に遊嵌開口５１が形成されると共に、当該長手方向中央部分の両側の側辺部が折れ曲がってボルト部材５２の頭部５３の対角線の長さよりも短い間隔で対向する一対の回転防止片５４が設けられる帯板状のプレート部材５５と、プレート部材５５の長手方向中央部分に係止される箱形形状の頭部保持部材５６とからなる。
【００３１】
そして、ボルト部材５２の雄ネジ部５７を遊嵌開口５１に挿入し、ボルト部材５２の頭部５３を頭部保持部材５６の内側に配置して頭部保持部材５６をプレート部材５５に係止することによって、ボルト部材５２を遊嵌状態で保持するようにしたものである。なお、本第３実施形態によれば、帯板状のプレート部材５５の長手方向中央部分には凹状の窪み部５８が設けられており、この窪み部５８に遊嵌開口５９が形成された座金プレート６０を填め込むようにして、頭部保持部材５６がプレート部材５５に係止されている。
【００３２】
本第３実施形態によれば、ボルト部材５２が装着された遊嵌取付け部材５０は、ボルト挿通孔６１が形成された建築物の構成部材の締着面に沿って取り付けて用いられ、上記第１実施形態の取付け構造と略同様の作用効果を奏することになる。
【００３３】
なお、本発明は上記各実施形態に限定されることなく種々の変更が可能である。例えば、本発明は枠組壁工法による住宅ユニットに限定されることなく、在来軸組工法による住宅ユニットや、その他の各種の建築物の構成部材にナット部材やボルト部材を予め取付けておくための取付け構造として採用することができ、木造建築物以外の建築物に用いることもできる。また、建築物の構成部材を連結一体化する作業の他、予め設置したナット部材に例えばアイボルト等を螺合することにより、住宅ユニット等の構成部材を吊り上げるためのものとして使用することもできる。
【００３４】
さらに、図１０（ａ），（ｂ）に示すように、底板７１と、底板７１から四方に立設して内側にナット部材１１が遊嵌配置される側板７２，７３とを備える箱形形状の遊嵌取付け部材７０に、対向する一対の側板７３の端部から連続して、階段状の屈折部７４を介在させて側方に張り出す張出接合片７５を設けておき、ナット部材１１及び座金部材７６を遊嵌状態で装着しつつ、張出接合片７５を介して、当該嵌取付け部材７０を、ボルト挿通孔７７が形成された建築物の構成部材の締着面に沿って直接取り付けて使用することもできる。
【００３５】
さらにまた、本発明によれば、遊嵌取付け部材として、ボルト部材やナット部材を遊動可能で且つ回転が阻止された状態で取り付けることのできる、上記各実施形態の遊嵌取付け部材以外の構成を有する種々の遊嵌取付け部材を用いることもできる。
【００３６】
【発明の効果】
本発明のボルト部材又はナット部材の取付け構造によれば、構成部材の施工誤差や加工誤差等によってボルト挿通孔等に位置ずれが生じても、これを効果的に吸収して、ナット部材とボルト部材とをスムーズに螺合してゆくことができる。
【図面の簡単な説明】
【図１】本発明の第１実施形態に係る取付け構造によって取り付けられたナット部材を用いて上下の住宅ユニットを連結一体化する状況を説明する部分側面図である。
【図２】本発明の第１実施形態に係る取付け構造の構成を説明する分解斜視図である。
【図３】本発明の第１実施形態に係る取付け構造の構成を説明する要部斜視図である。
【図４】図３のＡ−Ａに沿った断面図である。
【図５】遊嵌取付け部材の他の取付け状態を説明する、（ａ）は要部断面図、（ｂ）は（ａ）のＦ−Ｆに沿った断面図である。
【図６】本発明の第２実施形態に係る取付け構造の構成を説明する、（ａ）は斜視図、（ｂ）は（ａ）のＢ−Ｂに沿った断面図、（ｃ）は（ａ）のＣ−Ｃに沿った断面図である。
【図７】本発明の第２実施形態に係る取付け構造の構成を説明する分解斜視図である。
【図８】本発明の第３実施形態に係る取付け構造の構成を説明する、（ａ）は斜視図、（ｂ）は（ａ）のＤ−Ｄに沿った断面図、（ｃ）は（ａ）のＥ−Ｅに沿った断面図である。
【図９】本発明の第３実施形態に係る取付け構造の構成を説明する分解斜視図である。
【図１０】底板と側板とを備える箱形形状の遊嵌取付け部材を介してナット部材を取付ける際の他の取付け態様を説明する、（ａ）は要部断面図、（ｂ）は分解斜視図である。
【符号の説明】
１０  住宅ユニット（建築物の構成部材）
１１，４５  ナット部材
１２  上枠部材
１３，５２  ボルト部材
１４  雄ネジ部
１５，４０，５０，７０  遊嵌取付け部材
１６，４６，５７  雌ネジ孔
１７，４９，６１  ボルト挿通孔
１８  底板
１９，２０  側板
２１  ユニット吊上げ連結金具
２２  ボルト孔
２３  ベースプレート部材
２６  コの字断面補強部材
２９  係止開口
３２  板バネ片
３３  係止片
３４  下枠部材
３７  下枠部材のボルト挿通孔
４１，５８  窪み部
４２，５５  帯板状のプレート部材
４３，５１，５９  遊嵌開口
４４，５４  回転防止片
４７  円筒状リブ
４８  落下防止片
５３  ボルト部材の頭部
５６  頭部保持部材
６０  座金プレート
【図１】
2004257119.tif 000003
【図２】
2004257119.tif 000004
【図３】
2004257119.tif 000005
【図４】
2004257119.tif 000006
【図５】
2004257119.tif 000007
【図６】
2004257119.tif 000008
【図７】
2004257119.tif 000009
【図８】
2004257119.tif 000010
【図９】
2004257119.tif 000011
【図１０】
2004257119.tif 000012